(57)【特許請求の範囲】
【請求項１】
送風ファン（５１）から送出される空気の吹き出し開口（２３ａ）が防護用のグリル（３０）で覆われている冷凍装置の室外機であって、
前記グリル（３０）よりも上部から前記空気の吹出方向に突出する庇部（３２）を備え、
前記庇部（３２）の上面には、前記空気の吹出方向と交差する方向に延びる導水部（３２１）が設けられており、
前記導水部（３２１）は、前記庇部（３２）の長手方向の両端（３２ａ，３２ｂ）および中央部（３２ｃ）が他の領域より低く形成されている傾斜面であり、
前記導水部（３２１）は、前記庇部（３２）の上面に滴下する水を前記庇部（３２）の長手方向の両端（３２ａ，３２ｂ）および／または中央部（３２ｃ）に導く、
冷凍装置の室外機（３）。
【請求項２】
送風ファン（５１）から送出される空気の吹き出し開口（２３ａ）が防護用のグリル（３０）で覆われている冷凍装置の室外機であって、
前記グリル（３０）の上部から前記空気の吹出方向に突出する庇部（３２）を備え、
前記庇部（３２）の上面には、前記空気の吹出方向と交差する方向に延びる導水部（３２１）が設けられており、
前記導水部（３２１）は、前記庇部（３２）の上面に滴下する水を前記庇部（３２）の長手方向の両端（３２ａ，３２ｂ）および中央部（３２ｃ）に導く、
冷凍装置の室外機（３）。
【請求項３】
前記庇部（３２）の前記中央部（３２ｃ）は、前記送風ファン（５１）の回転中心軸の鉛直上方に位置する、
請求項１又は請求項２に記載の冷凍装置の室外機（３）。
【請求項４】
前記導水部（３２１）は、所定の高さを有するリブである、
請求項２又は請求項３に記載の冷凍装置の室外機（３）。
【請求項５】
前記導水部（３２１）は、所定の深さを有する溝である、
請求項２又は請求項３に記載の冷凍装置の室外機（３）。
【請求項６】
前記導水部（３２１）は、前記庇部（３２）の長手方向の両端（３２ａ，３２ｂ）および中央部（３２ｃ）が他の領域より低く形成されている傾斜面である、
請求項２又は請求項３に記載の冷凍装置の室外機（３）。
【発明の詳細な説明】
【技術分野】
【０００１】
本発明は、冷凍装置の室外機に関する。
【背景技術】
【０００２】
冷凍装置の室外機は外気に曝されているので、雨や雪溶け水がケーシング上部から落下してベルマウスとファンとの間に侵入し易く、最終的に氷結してファンと干渉する。それゆえ、特許文献１（特開２０１１−２１６７号公報）に記載の室外機では、吹出グリルの上方に庇部材を設けて、ベルマウスとファンとの間に水が侵入することを防止している。
【発明の概要】
【発明が解決しようとする課題】
【０００３】
上記のような室外機では、庇部材に溜まった水は吹出グリルの前面に滴下して吹出空気に吹き飛ばされるが、吹出口の端のような風速が遅い箇所に滴下した水は、吹き飛ばされることなく吹出グリルを伝ってベルマウスとファンとの間に侵入し、最悪の場合、氷結しファンと干渉する。
【０００４】
本発明の課題は、吹出口の端のような風速が遅い箇所に水が流れないようにした室外機を提供することにある。
【課題を解決するための手段】
【０００５】
本発明の第１観点に係る冷凍装置の室外機は、送風ファンから送出される空気の吹き出し開口が防護用のグリルで覆われている冷凍装置の室外機であって、庇部を備えている。庇部は、グリルよりも上部から空気の吹出方向に突出している。庇部の上面には、空気の吹出方向と交差する方向に延びる導水部が設けられている。導水部は、庇部の長手方向の両端および中央部が他の領域より低く形成されている傾斜面である。また、導水部は、庇部の上面に滴下する水を庇部の長手方向の両端および／または中央部に導く。
【０００６】
この室外機では、庇部上面に滴下した水は、導水部を伝い庇部両端または中央部に移動する。庇部両端に移動した水はグリル側面を降下して地面に落ちる。また、庇部の中央部に移動した水はグリルの前方に落下するが、送風ファンからの吹出空気に飛ばされるのでグリルに付着しない。その結果、水がグリル前面で氷結して成長することが防止される。
【０００７】
また、この室外機では、庇部上面に滴下した水は高低差によって、庇部の両端および／または中央部に確実に到達する。
【０００８】
本発明の第２観点に係る冷凍装置の室外機は、送風ファンから送出される空気の吹き出し開口が防護用のグリルで覆われている冷凍装置の室外機であって、庇部を備えている。庇部は、グリルの上部から空気の吹出方向に突出している。庇部の上面には、空気の吹出方向と交差する方向に延びる導水部が設けられている。導水部は、庇部の上面に滴下する水を庇部の長手方向の両端および中央部に導く。
【０００９】
この室外機では、庇部の両端と中央部との３箇所で水滴を消失させるので、水滴が庇部上面で長期間滞留することが抑制される。
【００１０】
本発明の第３観点に係る冷凍装置の室外機は、第１観点または第２観点に係る冷凍装置の室外機であって、庇部の中央部が、送風ファンの回転中心軸の鉛直上方に位置する。
【００１１】
庇部の中央部に移動した水はグリルの前方に落下して送風ファンからの吹出空気に飛ばされるが、吹出空気の勢いが弱い（風速が遅い）ときはグリルに付着する可能性がある。しかし、この室外機では、庇部の中央部が送風ファンの回転中心軸の鉛直上方に位置することによって、庇部の中央部から落下する水が送風ファン中心の前方を通るので、水は速い風速を受けて確実に吹き飛ばされる。
【００１２】
本発明の第４観点に係る冷凍装置の室外機は、第２観点又は第３観点に係る冷凍装置の室外機であって、導水部が、所定の高さを有するリブである。
【００１３】
この室外機では、庇部上面とリブとのコーナーに水滴が集合し、集合水は続いて集合する水滴に押されて容易にリブに沿って移動することができる。
【００１４】
本発明の第５観点に係る冷凍装置の室外機は、第２観点から第３観点に係る冷凍装置の室外機であって、導水部は、所定の深さを有する溝である。
【００１５】
この室外機では、庇部上面に滴下した水は溝内に引き込まれて集合し、集合した水は続いて引き込まれる水に押されて溝内を移動し、庇部の両端および中央部に到達する。
【００１６】
本発明の第６観点に係る冷凍装置の室外機は、第２観点から第３観点に係る冷凍装置の室外機であって、導水部が、庇部の長手方向の両端および中央部が他の領域より低く形成されている傾斜面である。
【００１７】
この室外機では、庇部上面に滴下した水は高低差によって、庇部の両端および中央部に確実に到達する。
【発明の効果】
【００１８】
本発明の第１観点に係る冷凍装置の室外機では、庇部上面に滴下した水は、導水部を伝い庇部両端または中央部に移動する。庇部両端に移動した水はグリル側面を降下して地面に落ちる。また、庇部の中央部に移動した水はグリルの前方に落下するが、送風ファンからの吹出空気に飛ばされるのでグリルに付着しない。その結果、水がグリル前面で氷結して成長することが防止される。さらに、庇部上面に滴下した水は高低差によって、庇部の両端および／または中央部に確実に到達する。
【００１９】
本発明の第２観点に係る冷凍装置の室外機では、庇部の両端と中央部との３箇所で水滴を消失させるので、水滴が庇部上面で長期間滞留することが抑制される。
【００２０】
本発明の第３観点に係る冷凍装置の室外機では、庇部の中央部が送風ファンの回転中心軸の鉛直上方に位置することによって、庇部の中央部から落下する水が速い風速を受けて確実に吹き飛ばされる。
【００２１】
本発明の第４観点に係る冷凍装置の室外機では、庇部上面とリブとのコーナーに水滴が集合し、集合水は続いて集合する水滴に押されて容易にリブに沿って移動することができる。
【００２２】
本発明の第５観点に係る冷凍装置の室外機では、庇部上面に滴下した水は溝内に引き込まれて集合し、集合した水は続いて引き込まれる水に押されて溝内を移動し、庇部の両端および中央部に到達する。
【００２３】
本発明の第６観点に係る冷凍装置の室外機では、庇部上面に滴下した水は高低差によって、庇部の両端および中央部に確実に到達する。
【図面の簡単な説明】
【００２４】
【図１】本発明の一実施形態に係る室外機を使用した空気調和装置の構成図。
【図２】室外機の正面図。
【図３】室外機の平面図。
【図４】グリルの左上部の拡大斜視図。
【図５Ａ】第１変形例に係る室外機の庇部の斜視図。
【図５Ｂ】第２変形例に係る室外機の庇部の斜視図。
【図５Ｃ】第３変形例に係る室外機の庇部の斜視図。
【図５Ｄ】第４変形例に係る室外機の庇部の斜視図。
【発明を実施するための形態】
【００２５】
以下図面を参照しながら、本発明の実施形態について説明する。なお、以下の実施形態は、本発明の具体例であって、本発明の技術的範囲を限定するものではない。
【００２６】
（１）空気調和装置１の構成
図１は、本発明の一実施形態に係る室外機を使用した空気調和装置１の構成図である。図１において、空気調和装置１は、冷房運転及び暖房運転が可能な空気調和装置であり、室内機２と、室外機３と、室外機３と室内機２とを接続するための液冷媒連絡配管７、ガス冷媒連絡配管９、液側閉鎖弁３７及びガス側閉鎖弁３９とを備えている。
【００２７】
液側閉鎖弁３７及びガス側閉鎖弁３９は、それぞれ、液冷媒連絡配管７及びガス冷媒連絡配管９に接続されている。液冷媒連絡配管７は、室内機２の室内熱交換器１１の液側と室外機３の液側閉鎖弁３７との間を接続している。ガス冷媒連絡配管９は、室内機２の室内熱交換器１１のガス側と室外機３のガス側閉鎖弁３９との間を接続している。
【００２８】
（１−１）室内機２
図１において、室内機２は、室内熱交換器１１と、室内ファン４１とを有している。室内熱交換器１１は、クロスフィン型熱交換器であり、室内空気との熱交換によって内部を流れる冷媒を蒸発又は凝縮させ、室内の空気を冷却又は加熱することができる。
【００２９】
（１−２）室外機３
図１において、室外機３は、主に、圧縮機１３、四路切換弁１５、室外熱交換器１７、膨張弁１９、アキュムレータ２１、液側閉鎖弁３７、及びガス側閉鎖弁３９を有している。さらに、室外機３は室外ファン５１も有している。
【００３０】
（２）室外機３の詳細構成
（２−１）圧縮機１３、四路切換弁１５およびアキュムレータ２１
圧縮機１３は、ガス冷媒を吸入して圧縮する。圧縮機１３の吸込口手前には、アキュムレータ２１が配置されており、圧縮機１３に液冷媒が直に吸い込まれないようになっている。
【００３１】
四路切換弁１５は、冷房運転と暖房運転との切換時に、冷媒の流れの方向を切り換える。冷房運転時、四路切換弁１５は、圧縮機１３の吐出側と室外熱交換器１７のガス側とを接続するとともに圧縮機１３の吸入側とガス側閉鎖弁３９とを接続する。つまり、図１の四路切換弁１５内の実線で示された状態である。
【００３２】
また、暖房運転時、四路切換弁１５は、圧縮機１３の吐出側とガス側閉鎖弁３９とを接続するとともに圧縮機１３の吸入側と室外熱交換器１７のガス側とを接続する。つまり、図１の四路切換弁１５内の点線で示された状態である。
【００３３】
（２−２）室外熱交換器１７および室外ファン５１
室外熱交換器１７は、室外空気との熱交換によって内部を流れる冷媒を凝縮又は蒸発させることができる。なお、室外ファン５１が、この室外熱交換器１７に対面するように配置されており、回転することによって室外空気を取り込んで室外熱交換器１７に送風し、室外熱交換器１７と室外空気との熱交換を促進する。
【００３４】
（２−３）膨張弁１９
膨張弁１９は、冷媒圧力や冷媒流量の調節を行うために、室外熱交換器１７と液側閉鎖弁３７の間の配管に接続され、冷房運転時及び暖房運転時のいずれにおいても、冷媒を膨張させる機能を有している。
【００３５】
（２−４）本体ケーシング２３
図２は、室外機３の正面図である。また、図３は、室外機の平面図である。図２及び図３において、室外機３は、外殻を形成する本体ケーシング２３の内部に、室外ファン５１、圧縮機１３、室外熱交換器１７、及び配管等の蒸気圧縮式冷凍サイクルの構成に必要な部材を収納している。
【００３６】
図３において、室外ファン５１が稼動しているとき、空気はＢ及びＣの方向から吸い込まれ、室外熱交換器１７と熱交換した後、Ａの方向へ吹き出される。
【００３７】
（２−５）室外ファン５１
図２及び図３において、室外ファン５１は、複数の翼を有するプロペラファンであり、室外熱交換器１７の前側で、吹出口２３ａ（図２参照）に対向するように配置されている。室外ファン５１は、ファンモータ５１ａによって回転駆動される。
【００３８】
（２−６）グリル３０
グリル３０は、図２に示すように、吹出口２３ａを覆う格子状の防護部材である。室外ファン５１から送出される空気は、吹出口２３ａを経てグリル３０から吹き出される。グリル３０の上部には庇部３２が設けられている。
【００３９】
（２−７）庇部３２
図４は、グリル３０の左上部の拡大斜視図である。図４において、庇部３２は、グリル３０の上部から空気の吹出方向に突出している。庇部３２は、本体ケーシング２３の天面から流れ落ちてくる水滴を受け止めて、その水滴がグリル３０を通過して室外ファン５１と吹出口２３ａ（一般にはベルマススの出口）との間に入らないように一時的に留める。
【００４０】
庇部３２の上面３２０は平坦であり、奥行き（図４のＹ方向）の後半域に、横（図４のＸ方向）に延びる横リブ３２１が形成されている。本実施形態では、横リブ３２１の高さは約２ｍｍに設定されている。
【００４１】
図３にも示すように、２本の横リブ３２１が所定の隙間をあけて隣接している。２本の横リブ３２１の隙間は、庇部３２の横方向長さの中央部３２ｃに位置している。この中央部３２は、室外ファン５１の回転中心軸の鉛直上方に位置している。
【００４２】
また、庇部３２の左端部３２ａ（図３正面視左側）および左端部３２ａ（図３正面視右側）の鉛直下方には、図４に示すような保持板３４が設けられている。保持板３４は、グリル３０の側面に位置し、格子を構成する各ワイヤの根元を保持する。保持板４３には、鉛直方向に延びる２本の縦リブ３４１が形成されている。
【００４３】
（３）庇部３２に溜まった水滴の流れ
図４に示すように、庇部３２に水滴が溜まってある程度の大きさに成長したとき、横リブ３２１に接触し、引っ張られるように左端部３２ａ、右端部３２ｂおよび中央部３２ｃへ移動する。
【００４４】
中央部３２ｃからグリル３０の前方に滴下した水は、吹出空気の風圧によって飛散する。中央部３２ｃは室外ファン５１の回転中心軸の鉛直上方に位置しているので、中央部３２ｃから滴下した水は最も風速が大きい吹出空気の風圧を受けるので、細かい水滴となって遠くへ飛ばされる。それゆえ、グリル３０に付着して氷結するような現象は発生し難くい。
【００４５】
他方、左端部３２ａ、又は右端部３２ｂから側方へ滴下した水は、保持板３４を伝って降下する。その際、表面張力による効果で縦リブ３４１に引き寄せられ、その後、重力によって縦リブ３４１に沿って降下する。したがって、縦リブ３４１に沿って降下する水が吹出空気による動圧でグリル３０側へ引き寄せられるようなことはない。
【００４６】
（４）特徴
（４−１）
室外機３では、庇部３２の上面に、空気の吹出方向と交差する方向に延びる横リブ３２１が設けられている。庇部３２の上面に滴下する水は、庇部３２面と横リブ３２１とのコーナーに集合し、集合水は続いて集合する水滴に押されて容易に横リブ３２１に沿って移動することができる。横リブ３２１は、左端部３２ａ、右端部３２ｂ及び中央部３２ｃの少なくとも一つに水を導く。
【００４７】
（４−２）
庇部３２の中央部３２ｃに導かれた水はグリル３０の前方に落下するが、室外ファン５１からの吹出空気に飛ばされるのでグリル３０に付着しない。その結果、水がグリル３０の前面で氷結して成長することが防止される。
【００４８】
（４−３）
また、庇部３２の左端部３２ａ及び右端部３２ｂの一方または両方に導かれた水は、グリル３０の側方に滴下するが、縦リブ３４１に沿って降下するので、グリル３０に付着しない。その結果、水がグリル３０の側面で氷結して成長することが防止される。
【００４９】
（４−４）
さらに、横リブ３２１が、庇部３２の上面に滴下する水を左端部３２ａ、右端部３２ｂ及び中央部３２ｃの全てに導いてくれる場合は、３箇所で水滴を消失させるので、水滴が庇部上面で長期間滞留することが抑制される。
【００５０】
（４−５）
庇部３２の中央部３２ｃが、室外ファン５１の回転中心軸の鉛直上方に位置するので、庇部３２の中央部３２ｃからグリル３０の前方に滴下した水は、室外ファンからの吹出空気の最も大きい風圧を受けて確実に飛散する。
【００５１】
（５）変形例
上記実施形態では、横リブ３２１で水を庇部３２の左端部３２ａ、右端部３２ｂ及び中央部３２ｃへ導いているが、横リブに限定されるものではなく、他の形状でも良い。
【００５２】
（５−１）第１変形例
図５Ａは、第１変形例に係る室外機３の庇部３２の斜視図である。図５Ａにおいて、  庇部３２の上面３２０には、横に延びる横リブ３２１が形成されている。但し、上記実施形態と異なる点は、横リブ３２１の両端のうち、庇部３２の端に近い側の端部が奥行き方向に折れ曲がっていることである。
【００５３】
それゆえ、横リブ３２１に沿って左端部、および右端部に移動した水はそこで滞留することになる。そして、ある程度溜まることによって中央部に向って移動し、そこから、グリル３０の前方に滴下する。滴下した水は、吹出空気の風圧によって飛散する。中央部３２ｃは室外ファン５１の回転中心軸の鉛直上方に位置しているので、中央部３２ｃから滴下した水は最も風速が大きい吹出空気の風圧を受け、細かい水滴となって遠くへ飛ばされる。それゆえ、グリル３０に付着して氷結するような現象は発生し難くい。
【００５４】
（５−２）第２変形例
図５Ｂは、第２変形例に係る室外機３の庇部３２の斜視図である。図５Ｂにおいて、庇部３２の上面３２０には、横に延びる溝３２２が形成されている。さらに、溝３２２には、庇部３２の中央部において庇部３２の突出方向に沿って分岐する中央溝３２２ａが形成されている。
【００５５】
庇部３２に水滴が溜まってある程度の大きさに成長したとき、溝３２２に入り、引っ張られるように左端部、右端部および中央溝３２２ａへ移動する。
【００５６】
中央溝３２２ａからグリル３０の前方に滴下した水は、吹出空気の風圧によって飛散する。中央溝３２２ａは室外ファン５１の回転中心軸の鉛直上方に位置しているので、中央部３２ｃから滴下した水は最も風速が大きい吹出空気の風圧を受け、細かい水滴となって遠くへ飛ばされる。それゆえ、グリル３０に付着して氷結するような現象は発生し難くい。
【００５７】
他方、左端部、又は右端部から側方へ滴下した水は、実施形態１と同様に保持板３４を伝って降下するので、ここでは説明を省略する。
【００５８】
（５−３）第３変形例
図５Ｃは、第３変形例に係る室外機３の庇部３２の斜視図である。図５Ｃにおいて、庇部３２の上面には、左端から中央に向って下方に傾斜する第１傾斜面３２０ａと、右端から中央に向って下方に傾斜する第２傾斜面３２０ｂとが形成されている。
【００５９】
庇部３２の第１傾斜面３２０ａ及び第２傾斜面３２０ｂに落下した水滴は、傾斜面に沿って中央部に向って移動する。中央部に集合した水はグリル３０の前方に滴下し、吹出空気の風圧によって飛散する。中央部は室外ファン５１の回転中心軸の鉛直上方に位置しているので、中央部から滴下した水は最も風速が大きい吹出空気の風圧を受け、細かい水滴となって遠くへ飛ばされる。それゆえ、グリル３０に付着して氷結するような現象は発生し難くい。
【００６０】
（５−４）第４変形例
図５Ｄは、第４変形例に係る室外機３の庇部３２の斜視図である。図５Ｄにおいて、庇部３２の上面には、上に凸の２つの山形面が隣接した形状である。左側の山形面を第１山形面３２０ｃ、右側の山形面を第２山形面３２０ｄとする。第１山形面３２０ｃの頂上より左側に落下した水は左端に向って移動し、頂上の右側に落下した水は中央部へ集合する。同様に、第２山形面３２０ｄの頂上より右側に落下した水は右端に向って移動し、頂上の左側に落下した水は中央部へ集合する。中央部に集合した水はグリル３０の前方に滴下し、吹出空気の風圧によって飛散する。中央部は室外ファン５１の回転中心軸の鉛直上方に位置しているので、中央部から滴下した水は最も風速が大きい吹出空気の風圧を受け、細かい水滴となって遠くへ飛ばされる。それゆえ、グリル３０に付着して氷結するような現象は発生し難くい。
【００６１】
他方、左端部、又は右端部から側方へ滴下した水は、実施形態１と同様に保持板３４を伝って降下するので、ここでは説明を省略する。
【産業上の利用可能性】
【００６２】
本発明は、空気調和機に限らずヒートポンプ式給湯機の室外機にも有用である。
【符号の説明】
【００６３】
３  室外機
２３ａ  吹出口
３０  グリル
３２  庇部
３２ａ  左端部
３２ｂ  右端部
３２ｃ  中央部
５１  室外ファン
３２１  横リブ（導水部）
【先行技術文献】
【特許文献】
【００６４】
【特許文献１】特開２０１１−００２１６７号公報
【図１】
0005522150.tif 000002
【図２】
0005522150.tif 000003
【図３】
0005522150.tif 000004
【図４】
0005522150.tif 000005
【図５Ａ】
0005522150.tif 000006
【図５Ｂ】
0005522150.tif 000007
【図５Ｃ】
0005522150.tif 000008
【図５Ｄ】
0005522150.tif 000009